(57)【要約】【課題】電子装置及び電子装置のプレイリスト表示方法を提供する。より詳しくは、タッチ及びタッチジェスチャーを利用してアプリケーションのプレイリストを整列可能な電子装置及び電子装置のプレイリストの表示方法を提供する。【解決手段】本表示方法は、タッチ及びタッチジェスチャーを利用してアプリケーションのプレイリストからタッチ及びタッチジェスチャーが検出されたフォルダの絶対パスのうち、最下位から１段階上位フォルダの名前を基準に整列する。【選択図】図４
2014203455.tif 000002
【特許請求の範囲】
【請求項１】
タッチスクリーンにアプリケーションで再生可能なフォルダプレイリスト（ｐｌａｙｌｉｓｔ）を表示するステップと、
前記フォルダプレイリストのうち一つのフォルダからタッチを検出するステップと、
前記タッチの連続的な動きを検出するステップと、
前記タッチの連続的な動きに応答し、前記タッチが検出されたフォルダのパスを利用して整列（ｓｏｒｔ）するステップと、
を含む、電子装置のプレイリストの表示方法。
【請求項２】
前記整列するステップでは、
前記タッチが検出されたフォルダの絶対パスのうち、最下位から１段階上位フォルダの名前及び２段階上位フォルダの名前のうち一つのフォルダの名前を有する新規フォルダを生成して表示するステップを更に含む、
請求項１に記載の電子装置のプレイリストの表示方法。
【請求項３】
前記プレイリストで前記新規フォルダの位置は変更可能である、
請求項２に記載の電子装置のプレイリストの表示方法。
【請求項４】
前記整列するステップでは、
前記タッチが検出されたフォルダの絶対パスのうち、最下位から１段階上位フォルダの名前を基準にフォルダを整列する、
請求項１に記載の電子装置のプレイリストの表示方法。
【請求項５】
前記一つのタッチの連続的な動きは、前記タッチが検出された位置を基準に前記タッチスクリーンの上で接触が連続的に維持されることを含む、
請求項１に記載の電子装置のプレイリストの表示方法。
【請求項６】
前記タッチの連続的な動きはフリック（ｆｌｉｃｋ）、ドラッグ（ｄｒａｇ）及び回転（ｒｏｔａｔｅ）のうち一つを含む、
請求項１に記載の電子装置のプレイリストの表示方法。
【請求項７】
前記タッチを検出するステップでは、
前記タッチは、前記タッチスクリーン上に前記フォルダのパスが表示された領域内に検出されるマルチタッチを含む、
請求項１に記載の電子装置のプレイリストの表示方法。
【請求項８】
前記タッチの連続的な動きを検出するステップでは、
前記検出されたマルチタッチの連続的な動きは、前記マルチタッチのうち少なくとも一つのタッチの連続的な動きを含む、
請求項７に記載の電子装置のプレイリストの表示方法。
【請求項９】
前記マルチタッチのうち少なくとも一つのタッチの連続的な動きに応答し、パスの一部分を縮約して表示するステップを更に含む、
請求項８に記載の電子装置のプレイリストの表示方法。
【請求項１０】
前記マルチタッチのうち少なくとも一つのタッチの連続的な動きに応答し、前記フォルダの絶対パスのうち、最下位フォルダの名前及び最下位から１段階上位フォルダの名前を全て表示可能に縮約して表示するステップを更に含む、
請求項８に記載の電子装置のプレイリストの表示方法。
【請求項１１】
前記マルチタッチのうち少なくとも一つのタッチの連続的な動きに応答し、前記フォルダの絶対パスのうち、最下位から１段階上位フォルダの名前が同じである一つ又は２つ以上の他のフォルダの名前を縮約して表示するステップを更に含む、
請求項８に記載の電子装置のプレイリストの表示方法。
【請求項１２】
前記マルチタッチの連続的な動きはピンチ（ｐｉｎｃｈ）、スプレッド（ｓｐｒｅａｄ）又は回転（ｒｏｔａｔｅ）を含む、
請求項８に記載の電子装置のプレイリストの表示方法。
【請求項１３】
アプリケーションのフォルダプレイリストを表示するタッチスクリーンと、
前記タッチスクリーンを制御する制御部と、
を含み、
前記制御部は、
前記タッチスクリーンに表示されるフォルダプレイリストのうち一つのフォルダからタッチを検出し、前記検出されたタッチの連続的な動きに応答して前記フォルダのパスを利用して整列するように制御する、
電子装置。
【請求項１４】
前記制御部は、前記タッチが検出されたフォルダの絶対パスのうち、最下位から１段階上位フォルダの名前及び２段階上位フォルダの名前のうち一つのフォルダの名前を有する新規フォルダを生成すること、及び前記タッチが検出されたフォルダの絶対パスのうち、最下位から１段階上位フォルダの名前を基準に整列することのうちの一つを実行するように制御する、
請求項１３に記載の電子装置。
【請求項１５】
前記タッチの連続的な動きはフリック、ドラッグ及び回転のうち一つを含み、相互変更可能である、
請求項１３に記載の電子装置。
【請求項１６】
アプリケーションのフォルダプレイリストを表示するタッチスクリーンと、
前記タッチスクリーンを制御する制御部と、
を含み、
前記制御部は、
前記タッチスクリーンに表示されるフォルダプレイリストのうち一つのフォルダからマルチタッチを検出し、前記検出されたマルチタッチの少なくとも一つのタッチの連続的な動きに応答して前記フォルダのパスの一部分を縮約して表示するように制御する、
電子装置。
【請求項１７】
前記検出されたマルチタッチのうち少なくとも一つのタッチの連続的な動きはピンチ、スプレッド及び回転のうち一つを含み、
一つのタッチは固定で他のタッチの連続的な動き又はマルチタッチのそれぞれの連続的な動きを含む、
請求項１６に記載の電子装置。
【発明の詳細な説明】
【技術分野】
【０００１】
本発明は電子装置及び電子装置のプレイリストの表示方法に関するものであり、詳しくはタッチ及び／又はタッチジェスチャーを利用した電子装置及び電子装置のプレイリストの表示方法に関するものである。
【背景技術】
【０００２】
近年、電子装置で提供する多様なサービス及び機能は次第に拡大されている。このような電子装置の利用価値を高め、ユーザの多様なニーズを満足するために電子装置において実行可能な多様なアプリケーションが開発されている。それによって、近年、スマートフォン、携帯電話、ノートＰＣ及びタブレットＰＣのように持ち運び可能でタッチスクリーンを有する電子装置には、一つ以上のアプリケーションをインストールすることができる。
【０００３】
オーディオファイルを再生可能なミュージックプレーヤー又はビデオファイルを再生可能なビデオプレーヤーによってユーザが選択するオーディオファイル又はビデオファイルが再生される。ユーザは、ミュージックプレーヤーでオーディオファイルを含むプレイリスト（ｐｌａｙｌｉｓｔ）又はビデオプレーヤーでビデオファイルを含むプレイリストを利用し、容易に再生することができる。
【先行技術文献】
【特許文献】
【０００４】
韓国公開特許第１０−２００４−００７４７５８号
【発明の概要】
【発明が解決しようとする課題】
【０００５】
本発明の目的は、タッチ及び／又はタッチジェスチャーを利用してアプリケーションのプレイリストを整列可能な電子装置及び電子装置のプレイリスト表示方法を提供することにある。
【０００６】
本発明のさらに別の目的は、タッチ及び／又はタッチジェスチャーを利用してアプリケーションの絶対パスのうちの最下位フォルダから１段階上位フォルダの名前を基準に整列可能な電子装置及び電子装置のプレイリストの表示方法を提供することにある。
【０００７】
本発明のさらに別の目的は、タッチ及び／又はタッチジェスチャーを利用してアプリケーションのタッチが検出された絶対パスのうち、最下位から１段階上位フォルダの名前及び２段階上位フォルダの名前のうちの一つのフォルダの名前を有する新規フォルダを生成可能な電子装置及び電子装置のプレイリストの表示方法を提供することにある。
【０００８】
本発明のさらに別の目的は、マルチタッチ及び／又はマルチタッチジェスチャーを利用してアプリケーションに表示されるフォルダのパスを縮約可能な電子装置及び電子装置のプレイリストの表示方法を提供することにある。
【０００９】
本発明のさらに別の目的は、マルチタッチ及び／又はマルチタッチジェスチャーを利用してアプリケーションに表示されるフォルダの絶対パスのうち、最下位フォルダの名前及び最下位から１段階上位フォルダの名前が全て表示されるように縮約可能な電子装置及び電子装置のプレイリストの表示方法を提供することにある。
【課題を解決するための手段】
【００１０】
本発明の多様な実施形態によると、電子装置のプレイリストの表示方法は、タッチスクリーンにミュージックアプリケーションで再生可能なフォルダプレイリストを表示するステップ、フォルダープレイリストのうち一つのフォルダーでタッチを検出するステップ、タッチの連続的な動きを検出するステップ及びタッチの連続的な動きに応答し、タッチが検出されたフォルダーのパスを利用して整列（ｓｏｒｔ）するステップを含む。
【００１１】
多様な実施形態によると、電子装置のプレイリストの表示方法は、タッチが検出されたフォルダの絶対パスのうち、最下位から１段階上位フォルダの名前及び２段階上位フォルダの名前のうち一つのフォルダの名前を有する新規フォルダを生成して表示するステップを更に含む。
【００１２】
多様な実施形態によると、タッチが検出されたフォルダの絶対パスのうち、最下位から１段階上位フォルダの名前を基準にフォルダを整列する。
【００１３】
多様な実施形態によると、一つのタッチの連続的な動きは、タッチが検出された位置を基準にタッチスクリーンの上で接触が連続的に維持される。
【００１４】
多様な実施形態によると、タッチの連続的な動きはフリック（ｆｌｉｃｋ）、ドラッグ（ｄｒａｇ）及び回転（ｒｏｔａｔｅ）のうち一つを含む。 
【００１５】
多様な実施形態によると、電子装置のプレイリストの表示方法は、タッチスクリーン上にフォルダのパスが表示された領域内に検出されるマルチタッチを含む。
【００１６】
多様な実施形態によると、電子装置のプレイリストの表示方法は、マルチタッチのうち少なくとも一つのタッチの連続的な動きに応答し、マルチタッチのうち少なくとも一つのタッチの連続的な動きが検出されたフォルダのパスの一部分を縮約して表示する。
【００１７】
多様な実施形態によると、マルチタッチのうち少なくとも一つのタッチの連続的な動きに応答し、パスの一部分を縮約して表示するステップを更に含む。一実施形態によると、マルチタッチのうち少なくとも一つのタッチの連続的な動きに応答し、フォルダの絶対パスのうち、最下位フォルダの名前及び最下位から１段階上位フォルダの名前を全て表示可能に縮約して表示するステップを更に含む。一実施形態によると、マルチタッチのうち少なくとも一つのタッチの連続的な動きに応答し、フォルダの絶対パスのうち、最下位から１段階上位フォルダの名前が同じである一つ又は２つ以上の他のフォルダの名前を縮約して表示するステップを更に含む。
【００１８】
多様な実施形態によると、マルチタッチの連続的な動きはピンチ（ｐｉｎｃｈ）、スプレッド（ｓｐｒｅａｄ）又は回転（ｒｏｔａｔｅ）を含む。
【００１９】
多様な実施形態によると、本発明はアプリケーションのフォルダプレイリストを表示するタッチスクリーン及びタッチスクリーンを制御する制御部を含み、制御部はタッチスクリーンに表示されるフォルダプレイリストのうち一つのフォルダからタッチを検出し、検出されたタッチの連続的な動きに応答してフォルダのパスを利用して整列するように制御する。
【００２０】
多様な実施形態によると、制御部はタッチが検出されたフォルダの絶対パスのうち、最下位から１段階上位フォルダの名前及び２段階上位フォルダの名前のうちの一つのフォルダの名前を有する新規フォルダを生成すること、及びタッチが検出されたフォルダの絶対パスのうち、最下位から１段階上位フォルダの名前を基準に整列することのうちの一つを実行するように制御する。
【００２１】
多様な実施形態によると、本発明はアプリケーションのフォルダプレイリストを表示するタッチスクリーン及びタッチスクリーンを制御する制御部を含み、制御部はタッチスクリーンに表示されるフォルダプレイリストのうち一つのフォルダからマルチタッチを検出し、検出されたマルチタッチのうち少なくとも一つのタッチの連続的な動きに応答してフォルダのパスの一部分を縮約して表示するように制御する。
【００２２】
多様な実施形態によると、検出されたマルチタッチのうち少なくとも一つのタッチの連続的な動きはピンチ、スプレッド及び回転のうち一つを含み、一つのタッチは固定で他のタッチの連続的な動き又はマルチタッチのそれぞれの連続的な動きを含む。
【図面の簡単な説明】
【００２３】
【図１】本発明の実施形態による電子装置を示す概略的なブロック図である。
【図２】本発明の実施形態による電子装置を示す概略的な前面斜視図である。
【図３】本発明の実施形態による電子装置を示す概略的な後面斜視図である。
【図４】本発明の実施形態による電子装置のプレイリストの表示方法を示す概略的な順序図である。
【図５】本発明の実施形態による電子装置のプレイリストの表示方法の例を示す図である。
【図６】本発明の実施形態による電子装置のプレイリストの表示方法の例を示す図である。
【図７】本発明の実施形態による電子装置のプレイリストの表示方法の例を示す図である。
【図８】本発明の実施形態による電子装置のプレイリストの表示方法の例を示す図である。
【図９Ａ】本発明の実施形態による電子装置のプレイリストの表示方法の例を示す図である。
【図９Ｂ】本発明の実施形態による電子装置のプレイリストの表示方法の例を示す図である。
【図９Ｃ】本発明の実施形態による電子装置のプレイリストの表示方法の例を示す図である。
【図１０】本発明の実施形態による電子装置のプレイリストの表示方法の例を示す図である。
【図１１】本発明の実施形態による電子装置のプレイリストの表示方法の例を示す図である。
【図１２】本発明の実施形態による電子装置のプレイリストの表示方法の例を示す図である。
【図１３】本発明の実施形態によるプレイリストの表示設定の例を示す図である。
【発明を実施するための形態】
【００２４】
以後、添付の図面に記載された内容を参照して、本発明による例示的実施形態を詳細に説明する。また、添付した図面に記載された内容を参照して本発明を製造し使用する方法を詳細に説明する。各図面に提示されている同じ参照番号又は符号は実質的に同じ機能を行う部品又は構成要素を示す。
【００２５】
「第１」、「第２」などのように序数を含む用語は、多用な構成要素を説明するために使用されるが、構成要素が当該用語によって限定されることはない。当該用語は一つの構成要素を他の構成要素から区別する目的にのみ使用される。例えば、本発明の権利範囲を逸脱することなく第１構成要素は第２構成要素として命名されてもよく、類似して第２構成要素も第１構成要素として命名されてもよい。「及びに／又は」という用語は、複数の関連する記載項目の組み合わせ又は複数の関連する記載項目のうちいずれかの項目を含む。
【００２６】
アプリケーション（ａｐｐｌｉｃａｔｉｏｎ）はコンピュータ用ＯＳ（Ｏｐｅｒａｔｉｎｇ  Ｓｙｓｔｅｍ）又はモバイルＯＳの上で実行され、ユーザが直接使用するソフトウェアを意味する。例えば、ワードプロセッサ、スプレッドシート、ＳＮＳ（Ｓｏｃｉａｌ  Ｎｅｔｗｏｒｋ  Ｓｙｓｔｅｍ）、チャット（ｃｈａｔｔｉｎｇ）、地図（Ｍａｐ）、ミュージックプレーヤー及び動画プレーヤーなどがある。
【００２７】
ウィジェット（ｗｉｄｇｅｔ）とは、ユーザとアプリケーション又はＯＳとの相互作用をより円滑に支援するグラフィックユーザインタフェース（ＧＵＩ，Ｇｒａｐｈｉｃ  Ｕｓｅｒ  Ｉｎｔｅｒｆａｃｅ）のうち一つであるミニアプリケーションを意味する。例えば、天気ウィジェット、電卓ウィジェット、時計ウィジェットなどがある。ショートカットアイコンの形に作ってデスクトップ又は電子装置、ブログ、カフェ、個人ホームページなどとしてインストールすることができ、ウェブブラウザを介さずにクリックを介して該当サービスをすぐに利用できるようにしたものである。また、ウィジェットは指定された経路にショートカット又は指定されたアプリケーションを実行可能なショートカットアイコンを含む。
【００２８】
本明細書で使用された用語は実施形態を説明するためのものであって、本発明を制限及び／又は限定する意図ではない。単数の表現は文脈上明白に異なるように意味しない限り、複数の表現を含む。本出願において、「含む」又は「有する」などの用語は明細書上に記載された特徴、数字、ステップ、動作、構成要素、部品又はそれらを組み合わせたものが存在することを指定するためのものであり、一つ又はそれ以上の他の特徴や数字、ステップ、動作、構成要素、部品又はそれらを組み合わせたものの存在又は付加される可能性を予め排除しないものとして理解されるべきである。各図面に提示されている同じ参照符号は実質的に同じ機能を行う部材を示す。
【００２９】
図１は、本発明の実施形態による電子装置を示す概略的なブロック図である。
【００３０】
図１を参照すると、電子装置１００は、移動通信ユニット１２０、サブ通信ユニット１３０及びコネクタ１６５を利用して外部装置（図示せず）と連結される。「外部装置」は他の電子装置（図示せず）、携帯電話（図示せず）、スマートフォン（図示せず）、入力ユニット（図示せず）、タブレットＰＣ（図示せず）及びサーバ（図示せず）を含む。電子装置とは携帯可能でデータの送受信が可能な装置であって、一つ又はそれ以上のタッチスクリーンを具備する。このような電子装置は携帯電話、スマートフォン、タブレットＰＣ、３Ｄ−ＴＶ、スマートＴＶ、ＬＥＤ  ＴＶ、ＬＣＤ  ＴＶなどを含み、他にも電子装置１００と連結可能な周辺機器（ｐｅｒｉｐｈｅｒａｌ）又は遠距離に位置する他の装置とデータの送受信が可能な装置を含む。
【００３１】
電子装置１００は、タッチスクリーン１９０及びタッチスクリーンコントローラ１９５を含む。また、電子装置１００は、制御部１１０、移動通信ユニット１２０、サブ通信ユニット１３０、マルチメディアユニット１４０、カメラユニット１５０、ＧＰＳユニット１５５、入出力ユニット１６０、センサユニット１７０、記憶部１７５及び電源供給部１８０を含む。サブ通信ユニット１３０は、無線ＬＡＮユニット１３１及び近距離通信ユニット１３２のうち少なくとも一つを含み、マルチメディアユニット１４０は、放送通信ユニット１４１、オーディオ再生ユニット１４２及び動画再生ユニット１４３のうち少なくとも一つを含む。カメラユニット１５０は、第１カメラ１５１及び第２カメラ１５２のうち少なくとも一つを含み、入出力ユニット１６０は、ボタン１６１、マイク１６２、スピーカ１６３、振動モータ１６４、コネクタ１６５、キーパッド１６６及び入力ユニット１６７のうち少なくとも一つを含み、センサユニット１７０は、近接センサ１７１、照度センサ１７２及びジャイロセンサ１７３を含む。
【００３２】
制御部１１０は、ＡＰ（Ａｐｐｌｉｃａｔｉｏｎ  Ｐｒｏｃｅｓｓｏｒ）１１１、電子装置１００を制御するための制御プログラムが記憶されたＲＯＭ１１２及び電子装置１００の外部から入力される信号又はデータを記憶するか、電子装置１００から行われる作業に対する記憶領域として使用されるＲＡＭ１１３を含む。
【００３３】
制御部１１０は電子装置１００の全般的な動作及び電子装置１００の内部構成要素１２０乃至１９５間の信号の流れを制御し、データを処理する機能を行う。制御部１１０は電源供給部１８０から内部構成要素１２０乃至１９５への電源供給を制御する。また、制御部１９０は記憶部１７５に記憶されたＯＳ及びアプリケーションを実行する。
【００３４】
ＡＰ１１１は、グラフィックを処理するためのＧＰＵ（Ｇｒａｐｈｉｃ  Ｐｒｏｃｅｓｓｉｎｇ  Ｕｎｉｔ，図示せず）を含む。ＡＰ１１１は、コア（ｃｏｒｅ，図示せず）とＧＰＵ（図示せず）がＳｏＣ（Ｓｙｓｔｅｍ  ｏｎ  Ｃｈｉｐ）で具現化されてもよい。ＡＰ１１１は、シングルコア、デュアルコア、トリプルコア、クアッドコア及びマルチコア（ｍｕｌｔｉｐｌｅ  ｃｏｒｅ）を含む。また、ＡＰ１１１、ＲＯＭ１１２及びＲＡＭ１１３は内部バス（ｂｕｓ）を介して互いに連結される。
【００３５】
制御部１１０は、移動通信ユニット１２０、サブ通信ユニット１３０、マルチメディアユニット１４０、カメラユニット１５０、ＧＰＳユニット１５５、入出力ユニット１６０、センサユニット１７０、記憶部１７５、電源供給部１８０、タッチスクリーン１９０及びタッチスクリーンコントローラ１９５を制御する。
【００３６】
本発明の実施形態による制御部１１０は、タッチスクリーンにミュージックアプリケーションによって再生可能なフォルダプレイリストを表示し、フォルダプレイリストに表示される複数のフォルダのうち一つのフォルダからタッチを検出し、タッチの連続的な動きに応答してタッチが検出されたフォルダのパスを利用して整列するように制御する。
【００３７】
制御部１１０は、タッチの連続的な動きに応答し、タッチが検出されたフォルダの絶対パスのうち、最下位から１段階上位フォルダの名前及び２段階上位フォルダの名前のうち一つのフォルダの名前を有する新規フォルダを生成して表示するように制御する。
【００３８】
制御部１１０は、ユーザによってプレイリストに表示される新規フォルダの位置を変更するように制御する。
【００３９】
制御部１１０は、タッチの連続的な動きに応答し、タッチが検出されたフォルダの最下位パスから１段階上位フォルダの名前を基準にフォルダを整列するように制御する。
【００４０】
制御部１１０は、一つのタッチの連続的な動きは、タッチが検出された位置を基準にタッチスクリーンの上で接触が連続的に維持されることを検出する。
【００４１】
制御部１１０は、タッチの連続的な動きに対応するフリック、ドラッグ及び回転を検出する。
【００４２】
制御部１１０は、フォルダのパス上に検出されるマルチタッチを検出するように制御する。
【００４３】
制御部１１０は、マルチタッチのうち少なくとも一つのタッチの連続的な動きに対応するピンチ、スプレッド又は回転を検出する。
【００４４】
制御部１１０は、マルチタッチのうち少なくとも一つのタッチの連続的な動きを検出する。例えば、制御部１１０は、一つのタッチが固定され、他の一つのタッチの連続的な動きを検出してもよい。又は制御部１１０は、マルチタッチの相互連続的な動きを検出する。
【００４５】
制御部１１０は、マルチタッチのうち少なくとも一つのタッチの連続的な動きに応答してパスの一部分を縮約（Ａｂｂｒｅｖｉａｔｉｏｎ）して表示するように制御する。
【００４６】
制御部１１０はマルチタッチのうち少なくとも一つのタッチの連続的な動きに応答し、フォルダの絶対パスのうち最下位フォルダの名前及び最下位から１段階上位フォルダの名前を全て表示可能であるようにパスを縮約して表示するように制御する。
【００４７】
制御部１１０はマルチタッチのうち少なくとも一つのタッチの連続的な動きに応答し、フォルダの絶対パスのうち、最下位から１段階上位フォルダの名前が同じである一つ又はそれ以上の他のフォルダの名前を縮約して表示するように制御する。
【００４８】
本発明の実施形態において、「制御部」という用語はＡＰ１１１、ＲＯＭ１１２及びＲＡＭ１１３を含む。
【００４９】
移動通信ユニット１２０は、制御部の制御によって、一つ又は複数のアンテナ（図示せず）を利用して移動通信を介して電子装置１００が外部装置と連結されるようにする。移動通信ユニット１２０は、電子装置１００に入力される電話番号を有する携帯電話（図示せず）、スマートフォン（図示せず）、タブレットＰＣ又は他の電子装置（図示せず）と音声通話、画像通話、文字メッセージ（ＳＭＳ）、マルチメディアメッセージ（ＭＭＳ）及びデータ通信をするための無線信号を送受信する。
【００５０】
サブ通信ユニット１３０は、無線ＬＡＮユニット１３１と近距離通信ユニット１３２のうち少なくとも一つを含む。例えば、無線ＬＡＮユニット１３１のみ含むか、近距離通信ユニット１３２のみ含むか、又は無線ＬＡＮユニット１３１と近距離通信ユニット１３２を全て含んでもよい。
【００５１】
無線ＬＡＮユニット１３１は、制御部の制御によって、ＡＰ（ａｃｃｅｓｓ  ｐｏｉｎｔ，図示せず）が設置された場所で無線を利用してインターネットに連結されてもよい。無線ＬＡＮユニット１３１は米国電気電子学会（ＩＥＥＥ）の無線ＬＡＮ規格（ＩＥＥＥ８０２．１１ｘ）をサポートする。近距離通信ユニット１３２は、制御部の制御によって、無線で電子装置１００と外部装置との間で近距離通信を行う。近距離通信はブルートゥース（ｂｌｕｅｔｏｏｔｈ）（登録商標）、赤外線通信（ＩｒＤＡ，ｉｎｆｒａｒｅｄ  ｄａｔａ  ａｓｓｏｃｉａｔｉｏｎ）及びＮＦＣ（Ｎｅａｒ  Ｆｉｅｌｄ  Ｃｏｍｍｕｎｉｃａｔｉｏｎ）などを含む。
【００５２】
電子装置１００は、性能に応じて移動通信ユニット１２０、無線ＬＡＮユニット１３１及び近距離通信ユニット１３２のうち少なくとも一つを含む。例えば、電子装置１００は、性能に応じて移動通信ユニット１２０、無線ＬＡＮユニット１３１及び近距離通信ユニット１３２の組み合わせを含んでもよい。
【００５３】
本発明の実施形態において、「通信ユニット」という用語は移動通信ユニット１２０、サブ通信ユニット１３０を含む。本発明の実施形態によって、通信ユニットは、制御部の制御によってミュージックアプリケーションで実行可能なサウンドソースを外部装置から受信する。制御部は外部装置から受信されたサウンドソースを記憶部に記憶する。
【００５４】
マルチメディアユニット１４０は、放送通信ユニット１４１、オーディオ再生ユニット１４２又は動画再生ユニット１４３を含む。放送通信ユニット１４１は制御部の制御によって、放送通信アンテナ（図示せず）を介して外部の放送局から送出される放送信号（例えば、ＴＶ放送信号、ラジオ放送信号又はデータ放送信号）及び放送付加情報（例えば、ＥＰＳ（Ｅｌｅｃｔｒｉｃ  Ｐｒｏｇｒａｍ  Ｇｕｉｄｅ）又はＥＳＧ（Ｅｌｅｃｒｉｃ  Ｓｅｒｖｉｃｅ  Ｇｕｉｄｅ））を受信し、タッチスクリーンビデオコーデックユニット（Ｃｏｄｅｃ  ｕｎｉｔ，図示せず）及びオーディオコーデックユニット（図示せず）を利用して再生する。
【００５５】
オーディオ再生ユニット１４２は、制御部の制御によって電子装置１００の記憶部１７５に予め記憶されるか又は携帯装置１００の外部から受信されるオーディオソース（例えば、ファイルの拡張子がｍｐ３，ｗｍａ，ｏｇｇ又はｗａｖであるオーディオファイル）をオーディオコーデックユニットを利用して再生する。
【００５６】
本発明の実施形態によって、オーディオ再生ユニット１４２は制御部の制御によってミュージックアプリケーションで選択されたオーディオソースをオーディオコーデックを介して再生する。オーディオ再生ユニット１４２は制御部の制御によってミュージックアプリケーションに表示されるフォルダプレイリストから検出されるタッチ又はタッチの連続的な動きに対応する聴覚フィードバック（例えば、記憶部に予め記憶されたオーディーソースの出力など）をオーディオコーデックユニットを介して再生する。
【００５７】
動画再生ユニット１４３は、制御部の制御によって電子装置１００の記憶部１７５に予め記憶されるか又は携帯装置１００の外部から受信されるデジタル動画ファイル（例えば、ファイルの拡張子がｍｐｅｇ，ｍｐｇ，ｍｐ４，ａｖｉ，ｍｏｖ又はｍｋｖであるファイル）をビデオコーデックユニットを利用して再生する。電子装置１００に設置可能な殆どのアプリケーションは、オーディオコーデックユニット又はビデオコーデックユニットを利用してオーディオ及び動画を再生する。
【００５８】
多種のビデオ及びオーディオコーデックユニットが生産及び販売されているということは、該当技術分野の通常の知識を有する者に容易に理解されるはずである。また、動画再生ユニット１４３は、ビデオコーデックユニット又はオーディオコーデックユニットを利用してオーディオソースを再生する。
【００５９】
マルチメディアユニット１４０は、電子装置１００の性能又は構造に対応して放送通信ユニット１４１を除きオーディオ再生ユニット１４２と動画再生ユニット１４３を含む。また、マルチメディアユニット１４０のオーディオ再生ユニット１４２又は動画再生ユニット１４３は制御部１１０に含まれる。本発明の実施例において、「ビデオコーデックユニット」という用語は一つ又は複数のビデオコーデックユニットを含む。本発明の実施形態において、「オーディオコーデックユニット」という用語は一つ又は複数のオーディオコーデックユニットを含む。
【００６０】
カメラユニット１５０は、制御部の制御によって静止イメージ又は動画を撮影する前面（図１の１００ａ）の第１カメラ（図１の１５１）及び後面（図３の１００ｃ）の第２カメラ（図３の１５２）のうち少なくとも一つを含む。カメラユニット１５０は、第１カメラ１５１と第２カメラ１５２のうち一つ又は両方を含む。また、第１カメラ１５１と第２カメラ１５２は撮影に必要な光量を提供する補助光源（例えば、フラッシュ１５３）を含む。
【００６１】
制御部の制御によってカメラユニット１５０の第１カメラ１５１と第２カメラ１５２は追加カメラ（図示せず）と隣接（例えば、図２の前面１００ａの第１カメラ１５１又は図３の後面１００ｃの第２カメラ１５２は追加カメラ（図示せず）との間隔が２ｃｍより大きくて８ｃｍより小さい）して位置し、３次元静止イメージ又は３次元動画を撮影する。
【００６２】
ＧＰＳユニット１５５は、地球の軌道上にある複数のＧＰＳ衛星（図示せず）から周期的に情報（例えば、電子装置１００に受信可能なＧＰＳ衛星（図示せず）の正確な位置情報と時間情報）を受信する。電子装置１００は、複数のＧＰＳ衛星から受信される電波を利用して電子装置１００の位置、速度及び時間を検知する。
【００６３】
入出力ユニット１６０は、複数のボタン１６１、マイク１６２、スピーカ１６３、振動モータ１６４、コネクタ１６５、キーパッド１６６及び入力ユニット１６７のうち少なくとも一つを含む。
【００６４】
図２及び図３に示した電子装置１００を参照すると、ボタン１６１は、前面１００ａの下部にあるメニュボタン１６１ｂ、ホームボタン１６１ａ及びバックボタン（ｂａｃｋ  ｂｕｔｔｏｎ）１６１ｃを含む。ボタン１６１は、側面１００ｂの電源／ロックボタン１６１ｄ及び少なくとも一つのボリュームボタン１６１ｅを含む。また、ボタン１６１は、ホームボタン１６１ａのみを含んでもよい。ボタン１６１は物理的ボタンではなく、タッチボタンで具現化されてもよい。また、ボタン１６１はタッチスクリーン１９０内に表示されてもよい。
【００６５】
マイク１６２は、制御部の制御によって外部から音声（ｖｏｉｃｅ）又はサウンド（ｓｏｕｎｄ）を入力されて電気的信号を生成する。マイク１６２で生成された電気的信号はオーディオコーデックユニットで変換され、記憶部１７５に記憶されるかスピーカ１６３を介して出力される。マイク１６２は、電子装置１００の前面１００ａ、側面１００ｂ及び後面１００ｃに一つ又は複数個搭載されてもよい。また、側面１００ｂのみに少なくとも一つのマイクが搭載されてもよい。
【００６６】
スピーカ１６３は、制御部の制御によってオーディオコーデックユニットを利用し、移動通信ユニット１２０、サブ通信ユニット１３０、マルチメディアユニット１４０又はカメラユニット１５０の多様な信号（例えば、無線信号、放送信号、オーディオソース、動画ファイル又は写真撮影など）に対応するサウンドを電子装置１００の外部に出力する。
【００６７】
スピーカ１６３は、電子装置１００が行う機能に対応するサウンド（例えば、電話通話に対応するタッチ操作音又は写真撮影ボタンの操作音）を出力する。電子装置１００の前面１００ａ、側面１００ｂ及び後面１００ｃに少なくとも一つのスピーカ１６３が搭載される。図２及び図３に示した電子装置１００を参照すると、前面１００ａと後面１００ｃに複数のスピーカ１６３ａ，１６３ｂが搭載される。また、前面１００ａに複数のスピーカ１６３ａ，１６３ｂが搭載されるか又は前面１００ａに一つのスピーカ１６３ａ及び後面１００ｃに複数のスピーカ（図示せず）が搭載されてもよい。
【００６８】
また、側面１００ｂに少なくとも一つのスピーカ（図示せず）が搭載されてもよい。側面１００ａ，１００ｂに少なくとも一つのスピーカ（図示せず）が搭載される電子装置１００は、前面１００ａ及び後面１００ｃにスピーカが搭載される場合とは異なるサウンドの出力効果を提供する。
【００６９】
本発明の実施形態によって、スピーカ１６３は、制御部の制御によってミュージックアプリケーションで選択されたオーディオソースに対応するオーディオを出力する。スピーカ１６３は、制御部の制御によってミュージックアプリケーションに表示されるフォルダプレイリストから検出されるタッチ又はタッチの連続的な動きに対応する聴覚フィードバックを出力する。
【００７０】
振動モータ１６４は、制御部の制御によって電気的信号を機械的振動に変換する。例えば、振動モータ１６４はリニア振動モータ、バータイプ振動モータ、コインタイプ振動モータ又は圧電素子振動モータを含んでもよい。他の電子装置（図示せず）から音声通話リクエストが受信される場合、振動モードにある電子装置１００で振動モータ１６４が動作する。振動モータ１６４は電子装置１００に一つ又は複数個搭載される。また、振動モータ１６４は電子装置１００全体を振動するか電子装置１００の一部のみを振動してもよい。
【００７１】
本発明の実施形態によって、振動モータ１６４は制御部の制御によってミュージックアプリケーションで選択されたオーディオソースに対応する触覚フィードバックを出力する。振動モータ１６４は、制御部の制御によってミュージックアプリケーションに表示されるフォルダプレイリストから検出されるタッチ又はタッチの連続的な動きに対応する聴覚フィードバックを出力する。また、振動モータ１６４は、制御部の制御命令に基づいて多様な触覚フィードバック（例えば、振動の強度及び振動の持続時間）を提供する。
【００７２】
コネクタ１６５は、電子装置１００と外部装置（図示せず）又は電源ソース（図示せず）を連結するためのインタフェースとして利用される。制御部の制御によって、コネクタ１６５に連結された有線ケーブルを介して電子装置１００の記憶部１７５に記憶されたデータをと外部装置（図示せず）に伝送するか、外部装置（図示せず）からデータを受信する。コネクタ１６５に連結された有線ケーブルを介して電源ソース（図示せず）から電源が入力されるか、バッテリ（図示せず）を充電する。
【００７３】
キーバッド１６６は電子装置１００を制御するためにユーザからキー入力を受信する。キーパッド１６６は電子装置１００に形成される物理的なキーパッド（図示せず）又はタッチスクリーン１９０に表示される仮想キーパッド（図示せず）を含む。電子装置１００に形成される物理的なキーパッド（図示せず）は、電子装置１００の性能又は構造に応じて省略されてもよい。
【００７４】
入力ユニット１６７は電子装置１００のタッチスクリーン１９０に表示されるオブジェクト（例えば、メニュー、テキスト、イメージ、図形及びアイコン）をタッチするか選択する。入力ユニット１６７は、例えば静電容量方式、抵抗方式及び電磁気誘導（ｅｌｅｃｔｒｏｍａｇｎｅｔｉｃ  ｉｎｄｕｃｔｉｏｎ）方式のタッチスクリーンをタッチするか、仮想キーボードを利用して文字などを入力する。入力ユニット１６７は、例えばスタイラス又は電子装置１００の通信ユニットから受信された制御情報を利用して内蔵されたペン振動素子（図示せず、例えば振動モータ又はアクチュエータ（ａｃｔｕａｔｏｒ））が振動するハプティックペン（ｈａｐｔｉｃ  ｐｅｎ）１６７などがある。また、電子装置１００から受信される制御情報ではなく、入力ユニット１６７に内蔵されたセンサ（例えば加速度センサ、図示せず）から検出されたセンシング情報を利用して振動素子が振動してもよい。
【００７５】
センサユニット１７０は電子装置１００の状態を検出する少なくとも一つのセンサを含む。例えば、センサユニット１７０はユーザの電子装置１００の前面１００ａ上部に位置し、電子装置１００に対する接近可否を検出する近接センサ１７１、電子装置１００周辺の光量を検出する照度センサ１７２、電子装置１００の回転慣性を利用して方向を検出するジャイロセンサ１７３、電子装置１００に加えられる３軸（例えば、ｘ軸、ｙ軸、ｚ軸）の勾配を検出する加速度センサ（図示せず）、重力の作用方向を検出する重力センサ（Ｇｒａｖｉｔｙ  Ｓｅｎｓｏｒ）又は大気の圧力を測定して高度を検出する高度計（Ａｌｔｉｍｅｔｅｒ）を含む。
【００７６】
センサユニット１７０は電子装置の運動加速度と重力加速度が加えられた加速度を測定し、電子装置１００が動かない場合、重力加速度のみを測定する。例えば、電子装置１００の前面が上を向く場合の重力加速度は正（＋）の方向で、電子装置１００の後面が上を向く場合の重力加速度は負（−）の方向であってもよい。
【００７７】
センサユニット１７０に含まれる少なくとも一つのセンサは電子装置１００の状態を検出し、検出に対応する信号を生成して制御部に伝送する。センサユニット１７０のセンサは電子装置１００の性能に応じて追加されるか削除されてもよい。
【００７８】
記憶部１７５は制御部の制御によって移動通信ユニット１２０、サブ通信ユニット１３０、マルチメディアユニット１４０、カメラユニット１５０、ＧＰＳユニット１５５、入出力ユニット１６０、センサユニット１７０及びタッチスクリーン１９０の動作に対応して入出力される信号又はデータを記憶する。記憶部１７５は電子装置１００又は制御部の制御のための制御プログラムと製造者から提供されるか外部からダウンロードしたアプリケーションに関するＧＵＩ、ＧＵＩを提供するためのイメージ、ユーザ情報、文書、データベース又は関連データを記憶する。
【００７９】
本発明の実施形態による記憶部１７５は、ミュージックアプリケーション、フォルダプレイリストに表示されるサウンドソース、シングルタッチ又はマルチタッチに対応するタッチ情報（例えば、検出されたタッチ位置のＸとＹ座標、タッチ検出時間など）又はホバリングに対応するホバリング情報（例えば、ホバリングのＸ，ＹとＺ座標、ホバリング時間など）を記憶する。記憶部１７５はサウンドソースのメタデータ（例えば、曲名、アルバム、アーティスト、トラック番号など）、プレイリスト、カバーアート及びフォルダのパスを記憶する。記憶部１７５はそれぞれのタッチに対応してユーザが認知可能なスピーカ１６３から出力される聴覚フィードバック（例えば、サウンドソースなど）及び振動モータ１６４から出力される触覚フィードバック（例えば、ハプティックパターンなど）を記憶する。
【００８０】
本発明の実施形態において、「記憶部」という用語は記憶部１７５、制御部内のＲＯＭ１１２、ＲＡＭ１１３又は電子装置１００に装着されるメモリカード（図示せず、例えばｍｉｃｒｏ  ＳＤカード、メモリスティック）を含む。記憶部は非揮発性メモリ、揮発性メモリ、ハードディスクドライバ（ＨＤＤ）又はソリッドステートドライブ（ＳＳＤ）を含む。
【００８１】
電源供給部１８０は制御部の制御によって電子装置１００に位置する一つ又は複数でバッテリー（図示せず）に電源を供給する。一つ又は複数のバッテリー（図示せず）は前面１００ａに位置するタッチスクリーン１９０と後面１００ｃとの間に位置する。また、電源供給部１８０は、コネクト１６５と連結された有線ケーブル（図示せず）を介して外部の電源ソース（図示せず）から入力される電源を電子装置１００に供給する。
【００８２】
タッチスクリーン１９０はユーザに多様なサービス（例えば、データの伝送、放送、写真撮影、動画又はアプリケーション）に対応するＧＵＩを提供する。タッチスクリーン１９０は、ＧＵＩを介して入力される一つ又はマルチデータに対応するアナログ信号をタッチスクリーンコントローラ１９５に伝送する。タッチスクリーン１９０はユーザの身体（例えば、親指を含む指）又はタッチ可能な入力ユニット１６７を介して一つ又は複数のタッチを入力される。
【００８３】
本発明の実施形態において、タッチは、タッチスクリーン１９０とユーザの身体又はタッチ可能な入力ユニット１６７の接触に限らず、非接触（例えば、タッチスクリーン１９０とユーザの身体又は入力ユニット１６７との検出可能な間隔が３０ｍｍ以下であるホバリング（ｈｏｖｅｒｉｎｇ））を含んでもよい。タッチスクリーン１９０で検出可能な非接触の感覚が電子装置１００の性能又は構造に応じて変更可能であるということは、該当技術分野の通常の知識を有する者に容易に理解されるはずである。
【００８４】
タッチスクリーンは、例えば抵抗膜（ｒｅｓｉｓｔｉｖｅ）方式、静電容量（ｃａｐａｃｉｔｉｖｅ）方式、赤外線（ｉｎｆｒａｒｅｄ）方式又は超音波（ａｃｏｕｓｔｉｃ  ｗａｖｅ）方式で具現される。
【００８５】
タッチスクリーンコントローラ１９５は、タッチスクリーン１９０から受信された一つ又はマルチタッチに対応するアナログ信号をデジタル信号（例えば、検出されたタッチ位置に対応するＸとＹ座標）に変換して制御部に伝送する。制御部はタッチスクリーンコントローラ１９５から受信されたデジタル信号を利用し、タッチスクリーン上のタッチ位置に対応するＸとＹ座標を算出する。また、制御部はタッチスクリーンコントローラ１９５から受信されたデジタル信号を利用してタッチスクリーン１９０を制御する。例えば、制御部は入力されたタッチに応答してタッチスクリーン１９０に表示されたショートカットアイコン（図２の１９１ｆ）が選択されたことを表示するか、選択されたショートカットアイコン１９１ｆに対応するアプリケーションを実行して表示してもよい。
【００８６】
本発明の実施形態による一つ又は複数のタッチスクリーンコントローラ１９５は、一つ又は複数のタッチスクリーンを制御する。電子装置１００の性能又は構造に応じて、タッチスクリーンコントローラ１９５が制御部に含まれてもよい。
【００８７】
図１の電子装置１００に図示された構成要素は、電子装置１００の性能に応じて少なくとも一つの構成要素が追加されるか削除されてもよい。また、構成要素の位置は電子装置１００の性能又は構造に対応して変更可能であるということは、該当技術分野の通常の知識を有する者に容易に理解されるはずである。
【００８８】
図２は、本発明の実施例による電子装置を示す概略的な前面斜視図である。
【００８９】
図３は、本発明の実施例による電子装置を示す概略的な後面斜視図である。
【００９０】
図２及び図３を参照すると、電子装置１００の前面１００ａ中央部にはタッチスクリーン１９０が位置する。図２において、電子装置１００にユーザがログインする場合、タッチスクリーン１９０にホーム画面が表示された例を示す。電子装置１００は互いに異なる複数のホーム画面を有してもよい。ホーム画面１９１はよく使用するアプリケーションを実行するためのショートカットアイコン１９１ａ乃至１９１i、時間及び天気などを表示する。ホーム画面１９１の上端にはバッテリの充電状態、受信信号の強度、現在時刻のような電子装置１００の状態を示すステータスバー（Ｓｔａｔｕｓ  Ｂａｒ）１９２が表示される。電子装置１００のホーム画面１９１は、オペレーティングシステム（ｏｐｅｒａｔｉｏｎｇ  ｓｙｓｔｅｍ，ＯＳ）によってステータスバー６０１が表示されなくてもよい。
【００９１】
電子装置１００の前面１００ａ上部には、第１カメラ１５１、スピーカ１６３ａ、近接センサ１７１及び照度センサ１７２が位置する。携帯端末１００の後面１００ｃには、第２カメラ１５２、フラッシュ（ｆｌａｓｈ）１５３及びスピーカ１６３ｂが位置する。
【００９２】
電子装置１００の前面１００ａ下部には、ホームボタン１６１ａ、メニュボタン１６１ｂ及びバックボタン１６１ｃが位置する。ボタン１６１は物理的ボタンではなくタッチボタンで具現化されてもよい。また、ボタン１６１はタッチスクリーン１９０内にホーム画面と一緒に表示されてもよい。
【００９３】
電子装置１００の側面１００ｂには、例えば電源／ロックボタン１６１ｄ、ボリュームボタン１６１ｅ、一つ又は複数のマイク１６２などが位置してもよい。電子装置１００の下端側面にはコネクタ１６５が形成される。コネクタ１６５は外部装置と有線で連結される。また、電子装置１００の下端側面にはボタン１６７ａを有する入力ユニット１６７を挿入可能な挿入口が位置する。入力ユニット１６７は挿入口を介して電子装置１００の内部に保管され、使用の際には電子装置１００から抜き取られる。
【００９４】
図４は、本発明の実施例による電子装置のプレイリストの表示方法を示す概略的なフローチャートである。
【００９５】
図５乃至図１３は、本発明の実施形態による電子装置のプレイリストの表示方法の例を示す図である。
【００９６】
図４のステップ４０１において、タッチスクリーンに表示されるミュージックアプリケーションを実行する。
【００９７】
図５を参照すると、タッチスクリーン１９０には、画面が表示される。画面はホーム画面１９１とステータスバー１９２とを含む。ホーム画面１９１には、電子装置１００で実行可能なアプリケーションに対応するショートカットアイコン１９１ａ乃至１９１i及び／又は電子装置１００で実行可能な少なくとも一つのウィジェット１９１ｊが表示されてもよい。ステータスバー１９２は、バッテリの充電状態１９２ａ、携帯電話の受信信号の強度１９２ｂ又は振動モードアイコン（図示せず）のような電子装置１００の状態を表示する。
【００９８】
電子装置１００のＯＳ又はアプリケーションに応じて、画面５００にステータスバー１９２が表示されなくてもよい。ステータスバー１９２が表示されない場合、タッチスクリーン１９０にはホーム画面１９１のみが表示される。
【００９９】
ホーム画面１９１に表示されるショートカットアイコンのうち、ミュージックアプリケーションに対応するショートカットアイコン１９１ｆからユーザによって入力されるタッチ５０１が検出される。制御部はタッチスクリーン１９０及びタッチスクリーンコントローラを介してショートカットアイコン１９１ｆから第１タッチ５０１を検出する。制御部は、タッチスクリーンコントローラから第１タッチ５０１に対応する第１位置情報（例えば、第１タッチ位置５０１ａに対応するＸ１とＹ１座標）を受信する。制御部は、ショートカットアイコン１９１ｆから検出された第１タッチに応答し、ミュージックアプリケーションを実行してタッチスクリーンに表示する。
【０１００】
制御部は、受信された第１位置情報に含まれたタッチスクリーン１９０上のタッチ、タッチ検出時間（例えば、１２時４５分）及びタッチに対応するタッチ情報（例えば、タッチ圧力など）を記憶部に記憶する。ショートカットアイコン１９１ｆから検出されるタッチ５０１は、例えば親指を含む指のうちの一つ、もしくはタッチ可能な入力ユニット１６７によって発生する。図４のステップ４０１で本発明の実施形態によってミュージックアプリケーションでタッチが検出されたが、それに限ることはない。本発明の他の実施形態によって他のアプリケーション（図示せず、例えば動画アプリケーション）でもタッチが検出される。また、タッチが検出される他のアプリケーションはフォルダプレイリストを表示可能なアプリケーションを含む。
【０１０１】
図４のステップ４０２において、タッチスクリーンにプレイリストを表示する。
【０１０２】
図６を参照すると、実行されたミュージックアプリケーションの上端に位置するカテゴリのうちフォルダ６０１からユーザによって入力されるタッチ（図示せず）が検出される。カテゴリはアルバム、アーティスト、ミュージックスクエア及びフォルダを含む。制御部は検出されたタッチに応答して電子装置１００の記憶部に記憶されたそれぞれのサウンドソースの記憶位置を把握し、サウンドソースが記憶されたフォルダをフォルダ単位階層で区分してプレイリスト６００を表示する。
【０１０３】
例えば、表示されるポップソングフォルダ６０２はテキストで表示されるフォルダの名前６０２ａ、イメージで表示されるカバーアート６０２ｂ及びサウンドソースが記憶されたフォルダのパス６０２ｃを含む。他のフォルダ６０３乃至６１０もフォルダの名前、カバーアート及びパスを含む。図４のステップ４０２において本発明の実施形態によってミュージックアプリケーションでサウンドソースを含むフォルダプレイリストが表示されているが、それに限られない。本発明の他の実施形態によって、他のアプリケーション（例えば、動画アプリケーション）でもビデオソースを含むフォルダプレイリスト（図示せず）が表示される。また、他のアプリケーションはオーディオソース及び／又はビデオソースを除く他のタイプのフォルダプレイリストを表示可能なアプリケーションを含む。
【０１０４】
図６を参照すると、表示されるフォルダ６０３乃至６０８はフォルダの名前が「ｃｈａｐｔｅｒ  １」で同じである。フォルダ６０３乃至６０８の絶対パスのうち、最下層から１段階上位階層を除き、最下層から２段階上位階層までのパスが同じである。また、フォルダ６０３乃至６０８のパスで残りのパスが表示されないため、記憶されたサウンドソースを区別することが難しい。第一に表示されるＣｈａｐｔｅｒ  １フォルダ６０３の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ１であり、第二に表示されるＣｈａｐｔｅｒ  １フォルダ６０４の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ３／Ｃｈａｐｔｅｒ１であり、第三に表示されるＣｈａｐｔｅｒ  １フォルダ６０５の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ４／Ｃｈａｐｔｅｒ１であり、第四に表示されるＣｈａｐｔｅｒ  １フォルダ６０６の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ５／Ｃｈａｐｔｅｒ１であり、第五に表示されるＣｈａｐｔｅｒ  １フォルダ６０７の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ６／Ｃｈａｐｔｅｒ１であり、第六に表示されるＣｈａｐｔｅｒ  １フォルダ６０８の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ７／Ｃｈａｐｔｅｒ１である。最後に表示されるＣｈａｐｔｅｒ  ２フォルダ６０９の絶対パスは／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ２であり、フォルダ６０３に比べ、ルートから１段階上位階層までのパスが同じで最終フォルダの位置は異なる。
【０１０５】
図４のステップ４０３において、プレイリストのフォルダからシングルタッチを検出する。
【０１０６】
図７を参照すると、プレイリストに表示されるｃｈａｐｔｅｒ  １フォルダ６０３からユーザによって入力される第２タッチ６５１が検出される。制御部はタッチスクリーン１９０及びタッチスクリーンコントローラを介してｃｈａｐｔｅｒ  １フォルダ６０３から第２タッチ６５１を検出する。制御部はタッチスクリーンコントローラから第２タッチ６５１に対応する第２位置情報（例えば、第２タッチ位置６５１ａに対応するＸ２とＹ２座標）を受信する。
【０１０７】
制御部は受信された第２位置情報に含まれたタッチスクリーン１９０上のタッチ、タッチ検出時間（例えば、１２時４５分）及びタッチに対応するタッチ情報（例えば、タッチ圧力など）を記憶部に記憶する。制御部は第２位置情報を利用してｃｈａｐｔｅｒ  １フォルダ６０３から第２タッチ６５１が検出されたことを決定する。第２タッチが検出されたｃｈａｐｔｅｒ  １フォルダ６０３はフォルダの名前６０３ａ、カバーアート６０３ｂ及びパス６０３ｃを含む。
【０１０８】
ｃｈａｐｔｅｒ  １フォルダ６０３から検出される第２タッチ６５１は、親指を含む指のうちの一つ又はタッチ可能な入力ユニット１６７によって発生する。
【０１０９】
図４のステップ４０４において、シングルタッチの連続的な動きを検出する。
【０１１０】
図７を参照すると、プレイリストに表示されるｃｈａｐｔｅｒ  １フォルダ６０３からユーザによって入力される第２タッチ６５１の連続的な動きが検出される。制御部はタッチスクリーン１９０及びタッチスクリーンコントローラを介してｃｈａｐｔｅｒ  １フォルダ６０３からカバーアート６０３ｂ方向に第２タッチ６５１の連続的な動き（例えば、最初の検出タッチ位置６５１ａから最後の検出タッチ位置６５１ｂまでの連続的なタッチに対応する複数のＸとＹ座標）を検出する。制御部はタッチスクリーンコントローラから第２タッチ６５１の連続的な動きに対応する複数の第２位置情報（例えば、連続的なタッチに対応する複数のＸとＹ座標）を受信する。
【０１１１】
第２タッチ６５１の連続的な動きは、検出された第２タッチ６５１のカバーアート６０３ｂ方向への連続的な動き又は第２タッチ６５１のカバーアート６０３ｂの反対方向への連続的な動き（図示せず）を含む。第２タッチ６５１の連続的な動きは、プレイリスト上で最初の検出タッチ位置６５１ｃから最後の検出タッチ位置６５１ｂまで接触が連続的に維持されることを意味する。
【０１１２】
また、第２タッチ６５１の連続的な動きは、プレイリスト上で最初の検出タッチ位置６５１ｃから最後の検出タッチ位置６５１ｂ方向に予め決定された距離（例えば、１０ｍｍ）以上の接触が連続的に維持されることを意味する。図１３の（ａ）及び（ｂ）を参照すると、プレイリスト表示設定１３０６で予め設定された距離を選択及び／又は変更する。
【０１１３】
また、第２タッチ６５１の連続的な動きは、水平の連続的な動きだけでなく垂直の連続的な動き（例えば、ポップソングフォルダ６０２方向又はＧｒｅａｔｅｓｔ  ｈｉｔｓフォルダ６１０方向）を含む。この場合、一般的なプレイリストのスクロール（ｓｃｒｏｌｌ）との区分が必要である。第２タッチ６５１は、ユーザによって長押し（ｌｏｎｇ  ｐｒｅｓｓ、例えば１ｓｅｃ以上で変更可能）の後の垂直の連続的な動きで入力されてもよい。第２タッチ６５１で長押しが入力される場合、垂直の連続的な動きの方向に対応する直感的なユーザガイドが表示される。例えば、ユーザガイドは第２タッチ６５１の上端領域（例えば、ポップソングフォルダ６０２領域に上方向を示す表１に示すアイコン）と下端領域（例えば、ｃｈａｐｔｅｒ  １フォルダ６０４領域に下方向を示す表２に示すアイコン）にプレイリストと区別されるように（例えば、オーバレイ（ｏｖｅｒｌａｙ））表示されてもよい。
【０１１４】
【表１】
2014203455.tif 000003
【０１１５】
【表２】
2014203455.tif 000004
【０１１６】
第２タッチ６５１の連続的な動きに対応する線形のタッチジェスチャーはフリック又はドラッグを含む。また、第２タッチ６５１の連続的な動きに対応する非線形のタッチジェスチャーは回転を含む。図１３の（ａ）及び（ｂ）を参照すると、プレイリスト表示設定１３０６のタッチジェスチャー変更１３０６ａを利用してフリック、ドラック及び回転のうち一つのタッチジェスチャーを選択及び／又は変更することができる。
【０１１７】
制御部は、第２タッチの連続的な動きの到着６５１ｂに応答するフィードバック（ｆｅｅｄｂａｃｋ）をユーザに提供する。提供されるフィードバックは視覚的フィードバック、聴覚的フィードバック又は触覚的フィードバックのうち少なくとも一つとして提供される。例えば、制御部は視覚的フィードバック、聴覚的フィードバック及び触覚的フィードバックの組み合わせをユーザに提供してもよい。
【０１１８】
視覚的フィードバックは第２タッチの連続的な動きの到着６５１ｂに応答する視覚的効果（例えば、別途のイメージ又は別途のイメージに適用されたフェード（ｆａｄｅ）のようなアニメーション効果）を、タッチスクリーン１９０に表示されるプレイリストと区別して表示する。聴覚的フィードバックは第２タッチの連続的な動きの到着６５１ｂに応答するサウンドであって、第１スピーカ１６３ａと第２スピーカ１６３ｂのうち一つから、又は第１スピーカ１６３ａと第２スピーカ１６３ｂ両方から出力される。触覚的フィードバックは第２タッチの連続的な動きの到着６５１ｂに応答する振動であって、振動モータ１６４から出力される。少なくとも一つのフィードバックは、第２タッチの最初検出位置６５１ａから連続的な動きの到着６５１ｂまで維持される。図１３の（ａ）及び（ｂ）を参照すると、プレイリスト表示設定１３０６のフィードバック１３０６ｆでシングルタッチの連続的な動きに対応するフィードバック（例えば、視覚的フィードバック、聴覚的フィードバック及び触覚的フィードバックのうち少なくとも一つ）を選択及び／又は変更することができる。また、図１３の（ａ）及び（ｂ）を参照すると、プレイリスト表示設定１３０６で少なくとも一つのフィードバックがユーザに提供する時間（例えば、０．５ｓｅｃ）を選択及び／又は変更することができる。
【０１１９】
図４のステップ４０５において、フォルダのパスを利用して整列する。
【０１２０】
図９Ａを参照すると、制御部は第２タッチの連続的な動きに応答して新規フォルダ６１１を生成して表示する。新規フォルダ６１１は「Ｐａｒｔ  ２」として設定されたフォルダの名前６１１ａ、カバーアート６１１ｂ及び従来の「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ１」から「／ｅｘｔ／ｓｄｃａｒｄ／０７＿ｓｔｕｄｙ／Ｆａｎｔａｓｔｉｃ  ＴＯＥＩＣ／Ｐａｒｔ２」に変更されたパス６１１ｃを含む。新規フォルダ６１１には従来のフォルダプレイリストに散在していた４つのフォルダ（例えば、パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ１」であるｃｈａｐｔｅｒ１フォルダ６０３、パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ２」であるｃｈａｐｔｅｒ２フォルダ６０９、パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ３」であるｃｈａｐｔｅｒ３フォルダ（図示せず）及びパスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ４」であるｃｈａｐｔｅｒ３フォルダ（図示せず））を含んでもよい。
【０１２１】
制御部は第２タッチの連続的な動きに応答し、第２タッチの連続的な動きが検出されたフォルダ６０３のパス６０３ｃを基準に整列（例えば、整列基準は「最終フォルダのみ異なってルートから１段階上位フォルダまでが同じ」）する。
【０１２２】
図１３の（ａ）及び（ｂ）を参照すると、プレイリスト表示設定１３０６の新規フォルダ位置１３０６ｃから第２タッチの連続的な動きが検出されたフォルダ６０３を基準に整列可能な整列基準を選択及び／又は変更する。
【０１２３】
制御部は、第２タッチの連続的な動きが検出されたフォルダ６０３のパス６０３ｃを基準に整列された４つのフォルダを含む新規フォルダ６１１を生成する。制御部は、生成された新規フォルダ６１１を従来のフォルダと区分するためにフォルダプレイリストの上端（ｔｏｐ）に表示する。図１３の（ａ）及び（ｂ）を参照すると、プレイリスト表示設定１３０６の新規フォルダ位置１３０６ｃから第２タッチの連続的な動きに応答して生成される新規フォルダの位置を選択及び／又は変更する。選択可能な新規フォルダの位置はプレイリストの上端、第２タッチの連続的な動きが検出されたフォルダ６０３の元来の位置（ｏｒｉｇｉｎａｌ）又はプレイリストの下端（ｂｏｔｔｏｍ）を含む。
【０１２４】
図９Ｂを参照すると、制御部は第２タッチの連続的な動きに応答して新規フォルダ６１２を生成して表示する。新規フォルダ６１２は「Ｆａｎｔａｓｔｉｃ  ＴＯＥＩＣ／Ｐａｒｔ  ２」として設定されたフォルダの名前６１２ａ、カバーアート６１２ｂ及び従来の「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ１」から「／ｅｘｔ／ｓｄｃａｒｄ／０７＿ｓｔｕｄｙ／Ｆａｎｔａｓｔｉｃ  ＴＯＥＩＣ／Ｐａｒｔ２」に変更されたパス６１２ｃを含む。
【０１２５】
図９Ｂにおいて、新規フォルダ６１２の生成は図９Ａでの新規フォルダ６１１の生成と実質的に同じであるため重複する説明は省略する。
【０１２６】
図９Ｃを参照すると、制御部は第２タッチの連続的な動きに応答して第２タッチの連続的な動きが検出されたフォルダ６０３のパス６０３ｃを利用して整列する。図６と図１０を比較すると、制御部は第２タッチの連続的な動きに応答してフォルダプレイリストでフォルダの順番（ｏｒｄｅｒ）を整列する。フォルダプレイリストで整列されたフォルダの順番は、例えば以下のようである。パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ１」であるｃｈａｐｔｅｒ１フォルダ６０３、パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ２」であるｃｈａｐｔｅｒ２フォルダ６０９、パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ３」であるｃｈａｐｔｅｒ３フォルダ６１３、パスが「／ｅｘｔ／ｓｄｃａｒｄ／０７＿ｓｔｕｄｙ／Ｆａｎｔａｓｔｉｃ  ＴＯＥＩＣ／Ｐａｒｔ２／Ｃｈａｐｔｅｒ４」であるｃｈａｐｔｅｒ４フォルダ６１４、パスが「／ｅｘｔ／ｓｄｃａｒｄ／０７＿ｓｔｕｄｙ／Ｆａｎｔａｓｔｉｃ  ＴＯＥＩＣ／Ｐａｒｔ３／Ｃｈａｐｔｅｒ１」であるｃｈａｐｔｅｒ１フォルダ６０４、パスが「／ｅｘｔ／ｓｄｃａｒｄ／０７＿ｓｔｕｄｙ／Ｆａｎｔａｓｔｉｃ  ＴＯＥＩＣ／Ｐａｒｔ３／Ｃｈａｐｔｅｒ２」であるｃｈａｐｔｅｒ２フォルダ６１５、パスが「／ｅｘｔ／ｓｄｃａｒｄ／０７＿ｓｔｕｄｙ／Ｆａｎｔａｓｔｉｃ  ＴＯＥＩＣ／Ｐａｒｔ３／Ｃｈａｐｔｅｒ３」であるｃｈａｐｔｅｒ３フォルダ６１６、パスが「／ｅｘｔ／ｓｄｃａｒｄ／０７＿ｓｔｕｄｙ／Ｆａｎｔａｓｔｉｃ  ＴＯＥＩＣ／Ｐａｒｔ３／Ｃｈａｐｔｅｒ４」であるｃｈａｐｔｅｒ４フォルダ６１７及びパスが「／ｅｘｔ／ｓｄｃａｒｄ／０７＿ｓｔｕｄｙ／Ｆａｎｔａｓｔｉｃ  ＴＯＥＩＣ／Ｐａｒｔ４／Ｃｈａｐｔｅｒ１」であるｃｈａｐｔｅｒ１フォルダ６０５の順番である。プレイリストをスクロール（ｓｃｒｏｌｌ）する場合、見えなかった整列されたフォルダが表示される。
【０１２７】
図４のステップ４０５において、制御部が第２タッチの連続的な動きに応答し、第２タッチの連続的な動きが検出されたフォルダ６０３のパス６０３ｃを利用してフォルダを整列する場合、電子装置１００のプレイリストの表示方法は終了する。
【０１２８】
図４のステップ４０３に戻って、電子装置のプレイリストでシングルタッチが検出されない場合、ステップ４０６に進む。
【０１２９】
図４のステップ４０８において、プレイリストのフォルダからマルチタッチを検出する。
【０１３０】
図１０を参照すると、プレイリストに表示されるｃｈａｐｔｅｒ  １フォルダ６０３からユーザによって入力される第３タッチ６５２及び第４タッチ６５３が検出される。制御部はタッチスクリーン１９０及びタッチスクリーンコントローラを介してｃｈａｐｔｅｒ  １フォルダ６０３から第３タッチ６５２及び第４タッチ６５３を検出する。
【０１３１】
制御部はタッチスクリーンコントローラから第３タッチ６５２に対応する第３位置情報（例えば、第３タッチ位置６５２ａに対応するＸ３とＹ４座標）及び第４タッチ６５３に対応する第４位置情報（例えば、第４タッチ位置６５３ａに対応するＸ４とＹ４座標）を受信する。
【０１３２】
制御部は受信された第３位置情報に含まれたタッチスクリーン１９０上のタッチ、タッチ検出時間（例えば、１２時４５分）及びタッチに対応するタッチ情報（例えば、タッチ圧力など）及び第４位置情報に含まれたタッチスクリーン１９０上のタッチ、タッチ検出時間（例えば、１２時４５分）及びタッチに対応するタッチ情報（例えば、タッチ圧力など）を記憶部に記憶する。制御部は第３位置情報及び第４位置情報を利用してｃｈａｐｔｅｒ  １フォルダ６０３から第３タッチ６５２及び第４タッチ６５３が検出されることを決定する。
【０１３３】
マルチタッチ６５２，６５３は、例えば親指を含む指のうちの２つ、親指を含む指の一つ、タッチ可能な入力ユニット１６７、又は複数のタッチ可能な入力ユニット１６７によって発生する。
【０１３４】
図４のステップ４０７において、マルチタッチの連続的な動きを検出する。
【０１３５】
図１１を参照すると、プレイリストに表示されるｃｈａｐｔｅｒ  １フォルダ６０３からユーザによって入力される第３タッチ６５２及び第４タッチ６５３のうち少なくとも一つのタッチの連続的な動きが検出される。制御部はタッチスクリーン１９０及びタッチスクリーンコントローラを介してｃｈａｐｔｅｒ  １フォルダ６０３から第３タッチ６５２及び第４タッチ６５３のうち少なくとも一つのタッチの連続的な動き（例えば、最初の検出タッチ位置から最後の検出タッチ位置までの連続的なタッチに対応する複数のＸとＹ座標）を検出する。制御部はタッチスクリーンコントローラから第３タッチ６５２及び第４タッチ６５３のうち少なくとも一つのタッチの連続的な動きに対応する複数の第３位置情報（例えば、第３タッチ６５２の連続的なタッチに対応する複数のＸとＹ座標）及び複数の第４位置情報（例えば、第４タッチ６５３の連続的なタッチに対応する複数のＸとＹ座標）を受信する。
【０１３６】
少なくとも一つのタッチの連続的な動きは、第３タッチ６５２は第４タッチ６５３方向に移動（例えば、タッチ位置６５２ａからタッチ位置６５２ｂに移動）し、第４タッチ６５３は固定（例えば、６５３ａに固定）、第４タッチ６５３は第３タッチ６５２方向に移動（例えば、タッチ位置６５３ａからタッチ位置６５３ｂに移動）し、第３タッチ位置６５２は固定（例えば、タッチ位置６５２ａに固定）、又は第３タッチ６５２と第４タッチ６５３が相互移動（例えば、第３タッチ６５２はタッチ位置６５２ａからタッチ位置６５２ｂに移動し、第４タッチ６５３はタッチ位置６５３ａからタッチ位置６５３ｂに移動）を含む。また、少なくとも一つのタッチの連続的な動きは、第３タッチ６５２はカバーアート６０３ｂの反対方向に移動（図示せず）して第４タッチ６５３は固定（例えば、６５３ａに固定）、第４タッチ６５３はカバーアート６０３ｂ方向に移動（図示せず）して第３タッチ６５２は固定（例えば、タッチ位置６５２ａに固定）、又は第３タッチ６５２と第４タッチ６５３が相互移動（例えば、第３タッチ６５２はカバーアート６０３ｂの反対方向に移動（図示せず）し、第４タッチ６５３はカバーアート６０３ｂ方向に移動（図示せず））を含む。第３タッチ６５２及び第４タッチ６５３の連続的な動きは、プレイリスト上で最初の検出タッチ位置から最後の検出タッチ位置方向に予め決定された距離（例えば、１０ｍｍ）以上の接触が連続的に維持されることを意味する。図１３の（ａ）及び図１３（ｂ）を参照すると、プレイリスト表示設定１３０６で予め設定された距離を選択及び／又は変更する。
【０１３７】
また、マルチタッチ６５２，６５３の連続的な動きは、水平の連続的な動きだけでなく垂直の連続的な動き（例えば、ポップソングフォルダ６０２方向又はＧｒｅａｔｅｓｔ  ｈｉｔｓフォルダ６１０方向）を含む。マルチタッチ６５２，６５３は、ユーザによって長押し（例えば、１ｓｅｃ以上に変更可能）の後の垂直の連続的な動きで入力されてもよい。マルチタッチ６５２，６５３で長押しが入力される場合、垂直の連続的な動きの方向に対応する直感的なユーザガイドが表示される。例えば、ユーザガイドはマルチタッチ６５２，６５３の上端領域（例えば、ポップソングフォルダ６０２領域に上方向を示す表１に示すアイコン）と下端領域（例えば、ｃｈａｐｔｅｒ  １フォルダ６０４領域に下方向を示す表２に示すアイコン）にプレイリストと区別されるように（例えば、オーバレイ（ｏｖｅｒｌａｙ））表示されてもよい。
【０１３８】
第３タッチ６５２の第４タッチ６５３の連続的な動きに対応する線形のタッチジェスチャーはピンチ又はスプレッドを含む。また、第３タッチ６５２及び第４タッチ６５３の連続的な動きに対応する非線形のマルチタッチジェスチャーは回転を含む。非線形のマルチタッチジェスチャーは線形のタッチジェスチャーと同様に、第３タッチ６５２及び第４タッチ６５３のうち一つのみ回転するか、第３タッチ６５２及び第４タッチ６５３両方とも回転してもよい。
【０１３９】
図１３の（ａ）及び（ｂ）を参照すると、プレイリスト表示設定１３０６のタッチジェスチャー変更１３０６ａを利用してピンチ、スプレッド及び回転のうち一つのマルチタッチジェスチャーを選択及び／又は変更することができる。
【０１４０】
制御部は、第３タッチ６５２及び第４タッチ６５３の連続的な動きの到着６５２ｂ，６５３ｂに応答するフィードバックをユーザに提供する。
【０１４１】
図４のステップ４０７において提供されるフィードバックは、図４のステップ４０４で提供されるフィードバックと実質的に同じであるため重複する説明は省略する。図１３の（ａ）及び（ｂ）を参照すると、プレイリスト表示設定１３０６のフィードバック１３０６ｆでシングルタッチの連続的な動きに対応するフィードバック（例えば、視覚的フィードバック、聴覚的フィードバック及び触覚的フィードバックのうち少なくとも一つ）を選択及び／又は変更する。また、図１３の（ａ）及び（ｂ）を参照すると、プレイリスト表示設定１３０６で少なくとも一つのフィードバックがユーザに提供する時間（例えば、０．５ｓｅｃ）を選択及び／又は変更する。
【０１４２】
図４のステップ４０８において、フォルダのパスを縮約して表示する。
【０１４３】
図１２を参照すると、制御部は第３タッチ６５２及び第４タッチ６５３のうち少なくとも一つのタッチの連続的な動きに応答し、フォルダ６０３のパス６０３ｃを縮約して表示する。
【０１４４】
パス６０３ｃの縮約はマルチタッチのうち少なくとも一つのタッチの連続的な動きに応答し、フォルダの絶対パス上で最下位フォルダの名前６０３ａを除いた、ルートから、最下位から１段階上位フォルダまでを「／…／」として縮約して表示してもよい。
【０１４５】
パス６０３ｃの縮約はマルチタッチのうち少なくとも一つのタッチの連続的な動きに応答し、フォルダの絶対パス上で最下位フォルダの名前６０３ａ及び最下位からの１段階上位フォルダの名前が全て表示されるようにルートから２段階上位フォルダまでを「／…／」として縮約して表示してもよい。
【０１４６】
また、制御部は第３タッチ６５２及び第４タッチ６５３のうち少なくとも一つの連続的な動きに応答し、タッチスクリーン１９０にフォルダ６０３のパス６０３ｃが表示された領域内から検出されたマルチタッチの位置６５２ａ，６５３ａを基準にパスを「／…／」として縮約して表示してもよい。例えば、第３タッチのタッチ位置６５２ａが検出された「ＴＯＥＩＣ」を含むフォルダの名前と第４タッチのタッチ位置６５３ａが検出された「ｅｘｔ」を含むフォルダの名前との間のパスが「／…／」として縮約して表示されてもよい。
【０１４７】
また、制御部は第３タッチ６５２及び第４タッチ６５３のうち少なくとも一つの連続的な動きに応答し、フォルダ６０３のパス６０３ｃを基準に他のフォルダ６０４乃至６０９のパスをフォルダ６０３と同様に縮約して表示してもよい。
【０１４８】
タッチの連続的な動きに対応するフォルダ６０２でパス６０３ｃの縮約は、「／…／」だけでなくパスが縮約されたことをユーザが認識するように表示されれば十分である。例えば、「／〜／」及び「／−／」であってもよい。また、プレイリスト表示設定１３０６でパス６０３ｃの縮約を示す「／…／」、「／〜／」及び「／−／」のうち一つを選択及び／又は変更可能であるということは、該当技術分野の通常の知識を有する者に容易に理解されるはずである。
【０１４９】
フォルダ６０３でフォルダの名前６０３ａ及びカバーアート６０３ｂは変更されない。また、フォルダ６０３に記憶されているサウンドソース（図示せず）も変更されない。
【０１５０】
図１３の（ａ）及び（ｂ）を参照すると、プレイリスト表示設定１３０６のパス縮約１３０６ｄでマルチタッチのうち少なくとも一つの連続的な動きに応答し、フォルダ６０３のパス６０３ｃに対するパス縮約可否を選択及び／又は変更する。また、マルチタッチのうち少なくとも一つの連続的な動きに応答し、フォルダ６０３のパス６０３ｃに対する縮約の基準（例えば、絶対パスで最下位フォルダと最下位からの１段階上位フォルダを表示するか、マルチタッチ間のパスを縮約する）を選択及び／又は変更する。マルチタッチのうち少なくとも一つの連続的な動きに応答してフォルダ６０３のパス路６０３ｃに対する縮約の基準をアプリケーションの性能に応じて変更可能であるということは、該当技術分野の通常の知識を有する者に容易に理解されるはずである。
【０１５１】
図４のステップ４０８において、制御部が第３タッチ６５２及び第４タッチ６５３のうち少なくとも一つのタッチの連続的な動きに応答してフォルダ６０３のパス６０３ｃを縮約して表示する場合、電子装置１００のプレイリストの表示方法は終了される。
【０１５２】
図１３は、本発明の実施形態によるプレイリストの表示設定の例を示す図である。
【０１５３】
図５を参照すると、タッチスクリーン１９０に表示されるホーム画面１９１の環境設定ショートカットアイコン１９１ｅからユーザによって入力されるタッチ（図示せず）が検出される。制御部は、環境設定ショートカットアイコン１９１ｅから検出されるタッチ（図示せず）に応答し、環境設定画面１４００を表示する。
【０１５４】
図１３の（ａ）を参照すると、表示される環境設定１３００の項目は無線及びネットワーク１３０１、通話１３０２、サウンド１３０３、ディスプレー１３０４、セキュリティ１３０５及びプレイリスト表示設定１３０６を含む。環境設定１３００で表示される設定項目は、電子装置１００の性能に応じて追加されるか削除されてもよい。
【０１５５】
タッチスクリーン１９０に表示される環境設定画面１４００のプレイリスト表示設定１３０６からユーザによって入力されるタッチ（図示せず）が検出される。制御部はプレイリスト表示設定１３０６から検出されるタッチ（図示せず）に応答し、プレイリスト表示設定１３０６を表示する。
【０１５６】
図１３の（ｂ）を参照すると、プレイリスト表示設定１３０６は、現在設定はｏｆｆでシングルタッチ６５１ジェスチャー（例えば、フリック、ドラッグ又は回転）のうちの一つ又はマルチタッチ６５２，６５３ジェスチャー（例えば、ピンチ、スプレッド又は回転）のうちの一つを選択／変更するタッチジェスチャー変更１３０６ａ、現在設定はｏｎでシングルタッチ６５１の連続的な動きに応答して新規フォルダを生成する新規フォルダ生成１３０６ｂ、現在設定は上端（Ｔｏｐ）で新規フォルダの位置を選択／変更する新規フォルダ位置１３０６ｃ、現在設定はｏｎでマルチタッチのうち少なくとも一つのタッチの連続的な動きが検出されたフォルダのパスを縮約するパス縮約１３０６ｄ、現在設定はマルチタッチ間のパスを縮約するＴｏｕｃｈでパスを縮約する基準を選択するパス縮約基準１３０６ｅ及び現在設定がｏｎであるシングルタッチ及びマルチタッチの連続的な動きの到着に対応する視覚フィードバック、聴覚フィードバック及び触覚フィードバックのうちの少なくとも一つを選択するフィードバック１３０６ｆを含む。他にも、表示されていないプレイリスト表示設定１３０６としてはマルチタッチで検出されるマルチタッチ間の時間間隔（例えば、５００ｍｓｅｃ）、第２タッチの連続的な動きが検出されたフォルダを基準に整列可能な整列基準（例えば、最下位フォルダ、最下位フォルダからの１段階上位フォルダ又は２段階上位フォルダなど）及びシングルタッチ及びマルチタッチの連続的な動きで検出される設定距離（例えば、１０ｍｍ）を更に含んでもよい。
【０１５７】
また、プレイリスト表示設定１３０６が環境設定１３００で設定されてもよいが、ミュージックアプリケーションを実行しメニュボタン１６１ｂを選択して表示される環境設定（図示せず）でもプレイリスト表示設定１３０６を選択及び／又は変更することができるということは、該当技術分野の通常の知識を有する者に容易に理解されるはずである。
【０１５８】
電子装置１００がサポートする性能及び機能に応じて、プレイリスト表示設定１３０６の項目は追加されるか削除されてもよい。
【０１５９】
本発明の例示的な実施形態による方法は多様なコンピュータ手段を介して行われるプログラム命令の形で具現化され、コンピュータで判読可能な記録媒体に記録されてもよい。コンピュータで判読可能な記録媒体は、プログラム命令、データファイル、データ構造などを単独に又は組み合わせて含んでもよい。例えば、コンピュータで判読可能な媒体は削除可能又は再記録可能可否とは関係なく、ＲＯＭなどの記憶装置のような揮発性又は非揮発性記憶装置、又は、例えばＲＡＭ，メモリチップ、装置又は集積回路のようなメモリ、又は、例えばＣＤ、ＤＶＤ、磁気ディスク又は磁気テープなどのような光学又は磁気的に記録可能であると共に機械（例えば、コンピュータ）によって判読可能な記憶媒体に記憶されてもよい。移動端末内に含まれるメモリは、本発明の実施例を具現化する指示を含むプログラム又はプログラムを記憶するのに適合した機械で判読可能な記憶媒体の一例であることを理解できるはずである。媒体に記録されるプログラム命令は本発明のために特別に設計され構成されたものであるか、コンピュータソフトウェアの当業者に公知されて使用可能なものであってもよい。
【０１６０】
上述したように本発明は限られた例示的実施形態と図面によって説明されているが、本発明が例示的な実施形態に限定されることはなく、本発明の属する分野の通常の知識を有する者であればこのような記載から多様な修正及び変形が可能である。
【０１６１】
よって、本発明の範囲は説明された実施形態に限って定められてはならず、後述する特許請求の範囲だけでなく、この特許請求の範囲と均等なものによって定められるべきである。
【図１】
2014203455.tif 000005
【図２】
2014203455.tif 000006
【図３】
2014203455.tif 000007
【図４】
2014203455.tif 000008
【図５】
2014203455.tif 000009
【図６】
2014203455.tif 000010
【図７】
2014203455.tif 000011
【図８】
2014203455.tif 000012
【図９Ａ】
2014203455.tif 000013
【図９Ｂ】
2014203455.tif 000014
【図９Ｃ】
2014203455.tif 000015
【図１０】
2014203455.tif 000016
【図１１】
2014203455.tif 000017
【図１２】
2014203455.tif 000018
【図１３】
2014203455.tif 000019